(57)【特許請求の範囲】
【請求項１】
下記一般式（１−１）または一般式（２−１）で表される低分子化合物を少なくとも１種、ポリエチレンオキサイドブロック構造を少なくとも１つ有し、数平均分子量が８０００〜３００００であるポリマーおよびポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステルおよびアセチレン系ポリオキシエチレンオキサイドの一群から選択される分子量１００〜２０００のノニオン系界面活性剤を含有し、加熱に応じて６５℃での粘度が１００ｍＰａ・ｓ以上に増粘することを特徴とするインクジェット顔料インク。
【化１】
0005616083.tif 000018
（Ｒ１１、Ｒ１２、Ｒ１３およびＲ１４はそれぞれ独立に水素原子または炭素数１〜４のアルキル基を表す。Ｒ１３とＲ１４は互いに結合して環を形成していてもよい。Ｘは酸素原子または硫黄原子を表す。）
【化２】
0005616083.tif 000019
（Ｒ２１は水素原子または炭素数１〜４のアルキル基を表し、Ｙは酸素原子または硫黄原子を表し、ｎは１〜３の整数を表す。）
【請求項２】
下記一般式（１−１）または一般式（２−１）で表される低分子化合物を少なくとも１種、ポリエチレンオキサイドブロック構造を少なくとも１つ有し、数平均分子量が８０００〜３００００であるポリマーおよび分子量１００〜２０００のアセチレン系ポリオキシエチレンオキサイドノニオン系界面活性剤を含有し、加熱に応じて６５℃での粘度が１００ｍＰａ・ｓ以上に増粘することを特徴とするインクジェット顔料インク。
【化３】
0005616083.tif 000020
（Ｒ１１、Ｒ１２、Ｒ１３およびＲ１４はそれぞれ独立に水素原子または炭素数１〜４のアルキル基を表す。Ｒ１３とＲ１４は互いに結合して環を形成していてもよい。Ｘは酸素原子または硫黄原子を表す。）
【化４】
0005616083.tif 000021
（Ｒ２１は水素原子または炭素数１〜４のアルキル基を表し、Ｙは酸素原子または硫黄原子を表し、ｎは１〜３の整数を表す。）
【請求項３】
前記低分子化合物が、下記一般式（１−２）または一般式（２−２）で表されることを特徴とする請求項１または２に記載のインクジェット顔料インク。
【化５】
0005616083.tif 000022
（Ｒ１１およびＲ１２はそれぞれ独立に水素原子または炭素数１〜４のアルキル基を表す。Ｘは酸素原子または硫黄原子を表す。）
【化６】
0005616083.tif 000023
（Ｙは酸素原子または硫黄原子を表し、ｎは１〜３の整数を表す。）
【請求項４】
前記低分子化合物が、下記一般式（１−３）または一般式（２−３）で表されることを特徴とする請求項３に記載のインクジェット顔料インク。
【化７】
0005616083.tif 000024
（Ｒ１１およびＲ１２はそれぞれ独立に水素原子または炭素数１〜４のアルキル基を表す。）
【化８】
0005616083.tif 000025
（ｎは１〜３の整数を表す。）
【請求項５】
前記低分子化合物が、尿素及び２−ピロリドンから選ばれる少なくとも一種であることを特徴とする請求項４に記載のインクジェット顔料インク。
【請求項６】
前記低分子化合物の含有量が該インクジェット顔料インク全量の７質量％を超えることを特徴とする請求項１〜５のいずれか１項に記載のインクジェット顔料インク。
【請求項７】
前記ポリエチレンオキサイドブロック構造を少なくとも１つ有するポリマーが、ポリオキシエチレン−ポリプロピレンオキサイド−ポリオキシエチレンのトリブロックポリマーであることを特徴とする請求項１〜６のいずれか１項に記載のインクジェット顔料インク。
【請求項８】
前記インクジェット顔料インクに含有される顔料が、カーボンブラックであることを特徴とする請求項１〜７のいずれか１項に記載のインクジェット顔料インク。
【請求項９】
インクの液滴を記録信号に応じて記録ヘッドのオリフィスから吐出させて記録シートに印刷を行うインクジェット記録方法であって、該インクが請求項１〜８のいずれか１項に記載のインクジェット顔料インクであり、該インクの液滴が記録シートに着弾する前、または着弾時に、記録シートを６５℃以上に加熱することを特徴とするインクジェット記録方法。
【請求項１０】
請求項９に記載のインクジェット記録方法により記録シートに印刷された印刷物。
【請求項１１】
インクを収容したインク収容部と、該インクを液滴として吐出させるためのヘッド部を有する記録ユニットを備えたインクジェット記録装置であって、該インクが請求項１〜８のいずれか１項に記載のインクジェット顔料インクであり、記録シートに該インクの液滴が着弾する前、または着弾時に、該記録シートが６５℃以上となるように加熱保持する手段を有することを特徴とするインクジェット記録装置。
【発明の詳細な説明】
【技術分野】
【０００１】
本発明は、インクジェット顔料インクとこれを用いたインクジェット記録方法、及び印刷物、インクジェット記録装置に関する。
【背景技術】
【０００２】
インクジェット記録は、高速記録が可能であること、騒音が少ないこと、カラー化が容易であること、高解像度化が可能であること、普通紙記録が可能であること等の多くの利点を持っている。これらの利点から、当該記録方式を利用した機器や設備は目覚ましく普及している。これに用いるインクは、安全性、臭気等の面から水性インクが主流である。そして、インクジェット記録方法においてはこのインクを毎秒数千滴以上吐出して画像形成が行われる。
インクジェット記録方法により高速で印刷しようとすると、凝集とカラーブリードとが発生することがある。具体的にこの凝集とは、第１のインク液滴が紙に完全に吸収される前に第２のインク液滴が到着して、これらが併合したり凝集したりして、１つの大きい液滴を形成してしまう現象である。これにより画像解像度が低下する。一方、カラーブリードは、併合する２つの液滴が異なる色の着色剤を含有していることにより、画像鮮鋭度や色品質が低下する現象である。
【０００３】
この高速印刷におけるカラーブリードの問題を解決しようとするものとして、熱に応答してゲル化するインクを使用し、このインクより高い温度に加熱した記録要素（紙）に印刷する方法が提案されている（特許文献１参照）。
また、カラーブリード以外にも、インクジェットインクには記録装置における目詰まりがなく、間欠吐出安定性を有することなど、種々の特性が要求される。このような特性を向上させたものの一例として、特許文献２に記載されている尿素を含有するインクがあげられる。
【先行技術文献】
【特許文献】
【０００４】
【特許文献１】特開２００３−２８５５３２号公報
【特許文献２】特開平８−１２０２０４号公報
【発明の概要】
【発明が解決しようとする課題】
【０００５】
ところで、インクジェット顔料インクには滲みの改良、裏移りの抑制が一層強く求められてきている。本願発明者の確認によれば、上記特許文献１記載の技術ではカラーブリードが改善されるものの、これらの効果が十分ではないことが分かってきた。また、裏移りにより、印刷面の濃度が低くなり、必要な光学濃度（ＯＤ）を得にくいということがある。加えて吐出性、特に吐出遅れに関して改良が望まれている。また、上記特許文献１に記載された印刷方法では記録要素を加熱することが必要であるが、実施例においては８５℃に加熱して印刷している。この加熱温度をより低くして、記録装置、記録システムに対する負荷およびエネルギー消費を軽減することも望まれる。
したがって本発明は、加熱温度を抑えた記録シートに印刷したときにも増粘効果が高く、滲み、裏移りが抑制され、吐出性が良好なインクジェット用顔料インクの提供を目的とする。また、本発明はこのインクジェット用顔料インクを用いて、記録シートの加熱温度を低くしても裏移りや吐出遅れが少ないインクジェット記録方法とこれを実施できるインクジェット記録装置を提供することを目的とする。
【課題を解決するための手段】
【０００６】
上記の課題は下記の手段により解決された。
（１）下記一般式（１−１）または一般式（２−１）で表される低分子化合物を少なくとも１種、ポリエチレンオキサイドブロック構造を少なくとも１つ有し、数平均分子量が８０００〜３００００であるポリマーおよびポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステルおよびアセチレン系ポリオキシエチレンオキサイドの一群から選択される分子量１００〜２０００のノニオン系界面活性剤を含有し、加熱に応じて６５℃での粘度が１００ｍＰａ・ｓ以上に増粘することを特徴とするインクジェット顔料インク。
【０００７】
【化１−１】
0005616083.tif 000002
（Ｒ１１、Ｒ１２、Ｒ１３およびＲ１４はそれぞれ独立に水素原子または炭素数１〜４のアルキル基を表す。Ｒ１３とＲ１４は互いに結合して環を形成していてもよい。Ｘは酸素原子または硫黄原子を表す。）
【化１−２】
0005616083.tif 000003
（Ｒ２１は水素原子または炭素数１〜４のアルキル基を表し、Ｙは酸素原子または硫黄原子を表し、ｎは１〜３の整数を表す。）
（２）下記一般式（１−１）または一般式（２−１）で表される低分子化合物を少なくとも１種、ポリエチレンオキサイドブロック構造を少なくとも１つ有し、数平均分子量が８０００〜３００００であるポリマーおよび分子量１００〜２０００のアセチレン系ポリオキシエチレンオキサイドノニオン系界面活性剤を含有し、加熱に応じて６５℃での粘度が１００ｍＰａ・ｓ以上に増粘することを特徴とするインクジェット顔料インク。
【０００８】
【化２−１】
0005616083.tif 000004
（Ｒ１１、Ｒ１２、Ｒ１３およびＲ１４はそれぞれ独立に水素原子または炭素数１〜４のアルキル基を表す。Ｒ１３とＲ１４は互いに結合して環を形成していてもよい。Ｘは酸素原子または硫黄原子を表す。）
【化２−２】
0005616083.tif 000005
（Ｒ２１は水素原子または炭素数１〜４のアルキル基を表し、Ｙは酸素原子または硫黄原子を表し、ｎは１〜３の整数を表す。）
（３）前記低分子化合物が、下記一般式（１−２）または一般式（２−２）で表されることを特徴とする（１）または（２）に記載のインクジェット顔料インク。
【０００９】
【化３】
0005616083.tif 000006
（Ｒ１１およびＲ１２はそれぞれ独立に水素原子または炭素数１〜４のアルキル基を表す。Ｘは酸素原子または硫黄原子を表す。）
【００１０】
【化４】
0005616083.tif 000007
（Ｙは酸素原子または硫黄原子を表し、ｎは１〜３の整数を表す。）
（４）前記低分子化合物が、下記一般式（１−３）または一般式（２−３）で表されることを特徴とする（３）に記載のインクジェット顔料インク。
【００１１】
【化５】
0005616083.tif 000008
（Ｒ１１およびＲ１２はそれぞれ独立に水素原子または炭素数１〜４のアルキル基を表す。）
【００１２】
【化６】
0005616083.tif 000009
（ｎは１〜３の整数を表す。）
【００１３】
（５）前記低分子化合物が、尿素及び２−ピロリドンから選ばれる少なくとも一種であることを特徴とする（４）に記載のインクジェット顔料インク。
（６）前記低分子化合物の含有量が該インクジェット顔料インク全量の７質量％を超えることを特徴とする（１）〜（５）のいずれか１項に記載のインクジェット顔料インク。
（７）前記ポリエチレンオキサイドブロック構造を少なくとも１つ有するポリマーが、ポリオキシエチレン−ポリプロピレンオキサイド−ポリオキシエチレンのトリブロックポリマーであることを特徴とする（１）〜（６）のいずれか１項に記載のインクジェット顔料インク。
（８）前記インクジェット顔料インクに含有される顔料が、カーボンブラックであることを特徴とする（１）〜（７）のいずれか１項に記載のインクジェット顔料インク。
（９）インクの液滴を記録信号に応じて記録ヘッドのオリフィスから吐出させて記録シートに印刷を行うインクジェット記録方法であって、該インクが（１）〜（８）のいずれかに記載のインクジェット顔料インクであり、該インクの液滴が記録シートに着弾する前、または着弾時に、記録シートを６５℃以上に加熱することを特徴とするインクジェット記録方法。
（１０）前記（９）に記載のインクジェット記録方法により記録シートに印刷された印刷物。
（１１）インクを収容したインク収容部と、該インクを液滴として吐出させるためのヘッド部を有する記録ユニットを備えたインクジェット記録装置であって、該インクが（１）〜（８）のいずれかに記載のインクジェット顔料インクであり、記録シートにインクの液滴が着弾する前、または着弾時に、該記録シートが６５℃以上となるように加熱保持する手段を有することを特徴とするインクジェット記録装置。
【発明の効果】
【００１４】
本発明のインクジェット用顔料インクは、高速印刷したときのカラーブリードとともに滲み、裏移りが抑制され、吐出性が良好であることができるという優れた作用効果を奏する。本発明のインクジェット用顔料インクは、熱に応答して増粘するため、記録シートを加熱して印刷することで上記効果が得られるが、このときの加熱温度が従来方法の温度より低くても、効果的に増粘し、優れた画像品質が得られる。したがって、本発明のインクジェット記録方法とインクジェット記録装置によれば、上記インクジェット用顔料インクを用いることにより、記録シートの加熱温度を抑えても、カラーブリードと滲みが抑制され、かつ、裏移りや吐出遅れが少ない、良好な品質の画像を高速で形成できる。
【発明を実施するための形態】
【００１５】
まず、本発明のインクジェット顔料インク（以下、単にインクという）について説明する。
本発明のインクは加熱に応じて増粘する性質を有する。６５℃での粘度が１００ｍＰａ・ｓ以上であり、好ましくは１５０ｍＰａ・ｓ以上である。６５℃における粘度の上限は特に制限はなく、高いほうが好ましいが、通常１００００ｍＰａ・ｓ以下である。また、吐出性を制御するなどの観点から、３０℃での粘度は好ましくは１〜２０ｍＰａ・ｓ、より好ましくは３〜１２ｍＰａ・ｓである。なお、本発明における粘度の測定方法は次のとおりである。
（粘度の測定法）
本発明においては、特に断らない限り、温度可変型の回転式粘度計（Physica  MCR301（商品名、アントンパール社製））で所定温度にした後１００秒ごとに５回粘度を測定した値の平均をいう。該測定において得られた粘度が、後述する本発明の記録方法において加熱された記録シート上でも達成されているものと推測できる。測定条件としては、ずり速度１０（１／ｓ）、上昇温度は５℃／５秒とする。
【００１６】
インクの増粘挙動は以下のように推定される。ポリエチレンオキサイドブロック構造を少なくとも１つ有するポリマーが水和により溶解しているところで、加熱されると脱水和して、ポリエチレンオキサイド分子どうしで相互作用する。これによりインクがゲル化し、増粘するものと考えられる。これに対し、本発明においては、一般式（１−１）または（２−１）で表わされる低分子化合物をさらに含有させることにより、より低い温度で効果的に増粘させることが可能であるが、これは、低分子化合物が水素結合性を有し、上記ポリエチレンオキサイド分子の脱水和を促しているものと推定される。
このような性質を有することにより、本発明のインクによれば、高速印刷におけるインク液滴の凝集やカラーブリードを抑制することができる。さらに本発明のインクは、上記凝集やカラーブリードの抑制効果を維持したうえでドット滲みと裏移りの抑制も実現できる。しかも、印刷時の記録シートの加熱温度を低く抑えてこれらの効果を得ることができる。
また、インクジェット記録方式においてこのような高温ゲル化インクでドットを形成させる場合、ゲル転移による粘度上昇ののちに溶媒の蒸発が起こるため、ドットの断面形状は台形もしくは凹型になるが、濃度の均一性の面からは台形が好ましい。本発明のインクでは、形成されるドット形状が良好であり、これによっても印刷品質が向上する。
以下に本発明のインクの組成について説明する。
【００１７】
［ポリエチレンオキサイドブロック構造を少なくとも１つ有するポリマー］
本発明のインクはポリエチレンオキサイド（ＰＥＯ）ブロック構造を少なくとも１つ有するポリマーを少なくとも１種含んでなる。具体例としては、ポリエチレンオキサイド、ポリエチレンオキサイド−ポリプロピレンオキサイド（ＰＥＯ−ＰＰＯ）のジブロックポリマー、ポリエチレンオキサイド−ポリカプロラクトンのジブロックポリマー、ポリエチレンオキサイド−ポリラクチドのジブロックポリマー、ポリエチレンオキサイド−ポリプロピレンオキサイド−ポリエチレンオキサイド（ＰＥＯ−ＰＰＯ−ＰＥＯ）のトリブロックポリマーがあげられ、ＰＥＯ−ＰＰＯ−ＰＥＯのトリブロックコポリマーの水溶液を使用することが特に好ましい。共重合比は、前記ポリマー中に含まれるＰＥＯの質量％で表すと、１０〜１００質量％が好ましく、４０〜１００質量％がより好ましく、６０〜９０質量％が特に好ましい。ＰＰＯブロックの両サイドに配するＰＥＯの配分としては、特に限定されないが、１：９９〜５０：５０の範囲が好ましく、１０：９０〜５０：５０の範囲がより好ましく、２０：８０〜５０：５０の範囲であることが好ましい。
【００１８】
上記ポリマーの分子量は１０００〜１０００００であることが好ましく、８０００〜３００００であることがさらに好ましく、本発明では８０００〜３００００である。本発明において、分子量というとき特に断らない限り数平均分子量を意味し、下記の測定方法で測定した値をいう。なお、低分子化合物と区別するときには、分子量１〜９９９を低分子と定義する。
（分子量の測定方法）
分子量は特に断らない限りＧＰＣ（ゲルろ過クロマトグラフィー）法を用いて測定する。ＧＰＣ法に用いるカラムに充填されているゲルは芳香族化合物を繰り返し単位に持つゲルが好ましく、例えばスチレン−ジビニルベンゼン共重合体からなるゲルが挙げられる。カラムは２〜６本連結させて用いることが好ましい。用いる溶媒は、テトラヒドロフラン等のエーテル系溶媒、Ｎ−メチルピロリジノン等のアミド系溶媒が挙げられるが、テトラヒドロフラン等のエーテル系溶媒が好ましい。測定は、溶媒の流速が０．１〜２ｍＬ／ｍｉｎの範囲で行うことが好ましく、０．５〜１．５ｍＬ／ｍｉｎの範囲で行うことが最も好ましい。この範囲内で測定を行うことで、装置に負荷がかからず、さらに効率的に測定ができる。測定温度は１０〜５０℃で行うことが好ましく、２０〜４０℃で行うことが最も好ましい。
【００１９】
以下に分子量測定の具体的な条件を示す。
装置：ＨＬＣ−８２２０ＧＰＣ（東ソー（株）製）
検出器：示差屈折計（ＲＩ検出器）
プレカラム：ＴＳＫＧＵＡＲＤＣＯＬＵＭＮ  ＭＰ（ＸＬ）
６ｍｍ×４０ｍｍ（東ソー（株）製）
サンプル側カラム：以下の２本を直結（全て東ソー（株）製）
・TSK-GEL  Multipore-HXL-M  ７．８ｍｍ×３００ｍｍ
リファレンス側カラム：サンプル側カラムに同じ
恒温槽温度：４０℃
移動層：テトラヒドロフラン 
サンプル側移動層流量：１．０ｍＬ／分
リファレンス側移動層流量：０．３ｍＬ／分
試料濃度：０．１重量％
試料注入量：１００μＬ
データ採取時間：試料注入後１６分〜４６分
サンプリングピッチ：３００ｍｓｅｃ
【００２０】
好ましく使用できるＰＥＯ−ＰＰＯ−ＰＥＯのトリブロックコポリマーとしては、ニューポールＰＥ−７８（商品名、三洋化成社製）、Pluonic  P85（商品名、BASF  Corp.製）、ニューポールＰＥ−６２（商品名、三洋化成社製）、ニューポールＰＥ−６４（商品名、三洋化成社製）、ニューポールＰＥ−６８（商品名、三洋化成社製）、ニューポールＰＥ−７４（商品名、三洋化成社製）、ニューポールＰＥ−７５（商品名、三洋化成社製）、ニューポールＰＥ−１０８（商品名、三洋化成社製）、ニューポールＰＥ−１２８（商品名、三洋化成社製）、Pluonic  L62（商品名、BASF  Corp.製）、Pluonic  F87（商品名、BASF  Corp.製）、ポリエチレングリコール−ブロックポリプロピレングリコール−ブロックポリエチレングリコール（アルドリッチ社製）などとして市販されているものがある。
このポリマーのインク中の含有量は、２〜３０質量％が好ましく、５〜１５質量％がより好ましい。また、インクとしての熱に応答する増粘性が上記の挙動となるように調整する。
【００２１】
［低分子化合物］
本発明のインクは下記一般式（１−１）または一般式（２−１）で表される化合物を少なくとも１種含有し、これらを２種以上併用してもよい。
【００２２】
【化７】
0005616083.tif 000010
【００２３】
（Ｒ１１、Ｒ１２、Ｒ１３、Ｒ１４はそれぞれ独立に水素原子または炭素数１〜４のアルキル基を表す。Ｒ１３とＲ１４は互いに結合して環を形成していてもよい。Ｘは酸素原子または硫黄原子を表す。）
【００２４】
【化８】
0005616083.tif 000011
【００２５】
（Ｒ２１は水素原子または炭素数１〜４のアルキル基を表し、Ｙは酸素原子または硫黄原子を表し、ｎは１〜３の整数を表す。）
【００２６】
一般式（１−１）中、Ｒ１１、Ｒ１２、Ｒ１３、Ｒ１４の具体例としては、水素原子、メチル基、エチル基、プロピル基、ブチル基が挙げられ、好ましくは、水素原子、メチル基、エチル基、プロピル基であり、より好ましくは、水素原子、メチル基である。
一般式（１−１）中、Ｒ１３、Ｒ１４は互いに連結して環を形成してもよく、連結して形成されるアルキレン基は、具体的には、エチレン基、プロピレン基、ブチレン基が挙げられ、好ましくは、エチレン基、プロピレン基である。
一般式（２−１）中、Ｙは酸素原子であることが好ましい。
一般式（２−１）中、Ｒ２１の具体例としては、水素原子、メチル基、エチル基、プロピル基、ブチル基が挙げられ、好ましくは、水素原子、メチル基、エチル基、プロピル基であり、より好ましくは、水素原子、メチル基である。
一般式（２−１）中、ｎは好ましくは１〜２の整数であり、より好ましくは１である。
さらに、一般式（１−１）または（２−１）で表わされる化合物のうち、好ましいものは、それぞれ下記一般式（１−２）、一般式（２−２）で表される。
【００２７】
【化９】
0005616083.tif 000012
【００２８】
（Ｒ１１、Ｒ１２、Ｘはそれぞれ一般式（１−１）におけると同義であり、具体例、好ましい範囲も同様である。）
【００２９】
【化１０】
0005616083.tif 000013
【００３０】
（Ｙ、ｎはそれぞれ一般式（２−１）におけると同義であり、具体例、好ましい範囲も同様である。）
一般式（１−２）、一般式（２−２）で表される化合物のより好ましいものは、それぞれ下記一般式（１−３）、一般式（２−３）で表わされる。
【００３１】
【化１１】
0005616083.tif 000014
【００３２】
（Ｒ１１、Ｒ１２はそれぞれ一般式（１−１）におけると同義であり、具体例、好ましい範囲も同様である。）
【００３３】
【化１２】
0005616083.tif 000015
【００３４】
（ｎは一般式（２−１）におけると同義であり、具体例、好ましい範囲も同様である。）
一般式（１−１）〜（１−３）で表わされる化合物の好ましい具体例としては、尿素、チオ尿素、Ｎ−メチル尿素、Ｎ，Ｎ−ジメチル尿素、Ｎ，Ｎ’−ジメチル尿素、Ｎ−チオメチル尿素、Ｎ，Ｎ−チオジメチル尿素、Ｎ，Ｎ’−チオジメチル尿素が挙げられるが、さらに好ましくは、尿素、チオ尿素、Ｎ−メチル尿素、Ｎ，Ｎ−ジメチル尿素、Ｎ，Ｎ’−ジメチル尿素であり、特に好ましくは、尿素である。
一般式（２−１）〜（２−３）で表わされる化合物の好ましい具体例としては、２−ピロリドン、Ｎ−メチルピロリドンが挙げられ、さらに好ましくは、２−ピロリドンである。
【００３５】
上記低分子化合物の添加量としては、インク中に７質量％を超える量を添加することが好ましい。より好ましくは、７質量％を超え、４０質量％以下の量であり、さらに好ましくは７質量％を超え、２５質量％以下の量である。少なすぎると、低分子化合物を添加することによる増粘効果が十分得られないことがあり、また、多すぎると、室温下でのインク粘度が増加し、吐出が難しくなることがある。
また、上記低分子化合物の添加量はインクの増粘挙動が上記のようになるように調整する。さらに、上記低分子化合物の添加量は上記ポリエチレンオキサイドブロック構造を有するポリマーに対する質量比で０．２３〜４０質量％であることが好ましい。
【００３６】
［顔料］
本発明のインクは、顔料を含有する。本発明においては、通常用いられる顔料を特に制限なく用いることができる。中でも、インク着色性の観点から、水に殆ど不溶であるか、又は難溶である色材であることが好ましい。また、本発明においては、水不溶性の顔料自体または分散剤で表面処理された顔料自体を色材とすることができる。
【００３７】
本発明における顔料としては、その種類に特に制限はなく、通常用いられる有機及び無機顔料を用いることができる。例えば、アゾレーキ、アゾ顔料、フタロシアニン顔料、ペリレン及びペリノン顔料、アントラキノン顔料、キナクリドン顔料、ジオキサジン顔料、ジケトピロロピロール顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、酸化チタン、酸化鉄系、カーボンブラック系等の無機顔料が挙げられる。また、カラーインデックスに記載されていない顔料であっても水相に分散可能であれば、いずれも使用できる。更に、前記顔料を界面活性剤や高分子分散剤等で表面処理したものや、グラフトカーボン等も勿論使用可能である。前記顔料のうち、特に、アゾ顔料、フタロシアニン顔料、アントラキノン顔料、キナクリドン顔料、カーボンブラック系顔料を用いることが好ましい。
【００３８】
本発明に用いられる有機顔料の具体的な例を以下に示す。
オレンジ又はイエロー用の有機顔料としては、例えば、Ｃ．Ｉ．ピグメント・オレンジ３１、Ｃ．Ｉ．ピグメント・オレンジ４３、Ｃ．Ｉ．ピグメント・イエロー１２、Ｃ．Ｉ．ピグメント・イエロー１３、Ｃ．Ｉ．ピグメント・イエロー１４、Ｃ．Ｉ．ピグメント・イエロー１５、Ｃ．Ｉ．ピグメント・イエロー１７、Ｃ．Ｉ．ピグメント・イエロー７４、Ｃ．Ｉ．ピグメント・イエロー９３、Ｃ．Ｉ．ピグメント・イエロー９４、Ｃ．Ｉ．ピグメント・イエロー１２８、Ｃ．Ｉ．ピグメント・イエロー１３８、Ｃ．Ｉ．ピグメント・イエロー１５１、Ｃ．Ｉ．ピグメント・イエロー１５５、Ｃ．Ｉ．ピグメント・イエロー１８０、Ｃ．Ｉ．ピグメント・イエロー１８５等が挙げられる。
【００３９】
マゼンタまたはレッド用の有機顔料としては、例えば、Ｃ．Ｉ．ピグメント・レッド２、Ｃ．Ｉ．ピグメント・レッド３、Ｃ．Ｉ．ピグメント・レッド５、Ｃ．Ｉ．ピグメント・レッド６、Ｃ．Ｉ．ピグメント・レッド７、Ｃ．Ｉ．ピグメント・レッド１５、Ｃ．Ｉ．ピグメント・レッド１６、Ｃ．Ｉ．ピグメント・レッド４８：１、Ｃ．Ｉ．ピグメント・レッド５３：１、Ｃ．Ｉ．ピグメント・レッド５７：１、Ｃ．Ｉ．ピグメント・レッド１２２、Ｃ．Ｉ．ピグメント・レッド１２３、Ｃ．Ｉ．ピグメント・レッド１３９、Ｃ．Ｉ．ピグメント・レッド１４４、Ｃ．Ｉ．ピグメント・レッド１４９、Ｃ．Ｉ．ピグメント・レッド１６６、Ｃ．Ｉ．ピグメント・レッド１７７、Ｃ．Ｉ．ピグメント・レッド１７８、Ｃ．Ｉ．ピグメント・レッド２２２Ｃ．Ｉ．ピグメント・バイオレット１９等が挙げられる。
【００４０】
グリーンまたはシアン用の有機顔料としては、例えば、Ｃ．Ｉ．ピグメント・ブルー１５、Ｃ．Ｉ．ピグメント・ブルー１５：２、Ｃ．Ｉ．ピグメント・ブルー１５：３、Ｃ．Ｉ．ピグメント・ブルー１５：４、Ｃ．Ｉ．ピグメント・ブルー１６、Ｃ．Ｉ．ピグメント・ブルー６０、Ｃ．Ｉ．ピグメント・グリーン７、米国特許４３１１７７５号明細書に記載のシロキサン架橋アルミニウムフタロシアニン等が挙げられる。
ブラック用の有機顔料としては、例えば、Ｃ．Ｉ．ピグメント・ブラック１、Ｃ．Ｉ．ピグメント・ブラック６、Ｃ．Ｉ．ピグメント・ブラック７等が挙げられる。
【００４１】
顔料の平均粒子径としては、１０〜２００ｎｍが好ましく、１０〜１５０ｎｍがより好ましく、１０〜１００ｎｍがさらに好ましい。平均粒子径は、２００ｎｍ以下であると色再現性が良好になり、インクジェット法で打滴する際の打滴特性が良好になり、１０ｎｍ以上であると耐光性が良好になる。また、顔料の粒径分布に関しては、特に制限はなく、広い粒径分布又は単分散性の粒径分布のいずれであってもよい。また、単分散性の粒径分布を持つ顔料を２種以上混合して使用してもよい。
なお、顔料の平均粒子径及び粒径分布は、ナノトラック粒度分布測定装置ＵＰＡ−ＥＸ１５０（商品名、日機装（株）製）を用いて、動的光散乱法により体積平均粒径を測定することにより求められるものである。
【００４２】
顔料は、１種単独で又は２種以上を組み合わせて使用してもよい。
顔料のインク中の含有量としては、画像濃度の観点から、インク組成物に対して、１〜２５質量％であることが好ましく、２〜２０質量％がより好ましく、５〜２０質量％がさらに好ましく、５〜１５質量％が特に好ましい。
【００４３】
［分散剤・分散媒］
通常、分散剤は、顔料を分散させる目的で添加する材料であり、分散媒（バインダー）は、耐擦過性、耐溶剤性、耐水性などの向上を目的に添加する材料であるが、本発明においては、以下に分散剤として記載する材料を分散媒として添加してもよく、両者をまとめて分散剤として説明する。
本発明における顔料は、分散剤によって水系溶媒に分散されていることが好ましい。分散剤としては、ポリマー分散剤でも界面活性剤型分散剤でもよい。また、ポリマー分散剤としては水溶性の分散剤でも非水溶性の分散剤の何れでもよい。
前記界面活性剤型分散剤は、インクを低粘度に保ちつつ、有機顔料を水溶媒に安定に分散させる目的で添加することができる。ここでいう界面活性剤型分散剤は、質量平均分子量２０００以下の、ポリマー分散剤よりも低分子の分散剤である。また、界面活性剤型分散剤の分子量は、１００〜２０００が好ましく、２００〜２０００がより好ましい。
【００４４】
本発明におけるポリマー分散剤のうち水溶性分散剤としては、親水性高分子化合物を用いることができる。例えば、天然の親水性高分子化合物では、アラビアガム、トラガンガム、グーアガム、カラヤガム、ローカストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子などが挙げられる。
【００４５】
また、天然物を原料として化学修飾した親水性高分子化合物としては、メチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸プロピレングリコールエステル等の海藻系高分子などが挙げられる。
【００４６】
また、合成系の水溶性高分子化合物としては、ポリビニルアルコール、ポリビニルピロリドン、ポリビニルメチルエーテル等のビニル系高分子、ポリアクリルアミド、ポリアクリル酸又はそのアルカリ金属塩、水溶性スチレンアクリル樹脂等のアクリル系樹脂、水溶性スチレンマレイン酸樹脂、水溶性ビニルナフタレンアクリル樹脂、水溶性ビニルナフタレンマレイン酸樹脂、ポリビニルピロリドン、ポリビニルアルコール、β−ナフタレンスルホン酸ホルマリン縮合物のアルカリ金属塩、四級アンモニウムやアミノ基等のカチオン性官能基の塩を側鎖に有する高分子化合物等が挙げられる。
【００４７】
これらの中でも、顔料の分散安定性の観点から、カルボキシル基やスルホニル基を含む高分子化合物が好ましく、例えば、スチレン−（メタ）アクリル樹脂等の（メタ）アクリル系樹脂、スチレン−マレイン酸樹脂、ビニルナフタレンアクリル樹脂、ビニルナフタレン−マレイン酸樹脂、ポリビニルベンゼンスルホン酸塩樹脂、ポリスチレン−ビニルベンゼンスルホン酸塩樹脂、スチレン−ビニルスルホン酸塩樹脂等のようなカルボキシル基を含む高分子化合物が特に好ましい。
【００４８】
本発明におけるポリマー分散剤の質量平均分子量としては、３，０００〜２００，０００が好ましく、より好ましくは５，０００〜１００，０００、さらに好ましくは５，０００〜８０，０００、特に好ましくは１０，０００〜６０，０００である。
【００４９】
また、顔料と分散剤との混合質量比（顔料：分散剤）としては、１：０．０６〜１：３の範囲が好ましく、１：０．１２５〜１：２の範囲がより好ましく、更に好ましくは１：０．１２５〜１：１．５である。
【００５０】
［溶媒］
本発明のインクは水性インクであり、溶媒は水、好ましくはイオン交換水を用いるが、必要に応じて、乾燥防止、浸透促進、粘度調整などを図る目的で、他の有機溶媒を含有してもよい。
有機溶媒を乾燥防止剤として用いる場合、インク組成物をインクジェット法で吐出して画像記録する際に、インク吐出口でのインクの乾燥によって発生し得るノズルの目詰まりを効果的に防止することができる。
乾燥防止のためには、水より蒸気圧の低い親水性有機溶媒が好ましい。乾燥防止に好適な親水性有機溶媒の具体的な例としては、エチレングリコール、プロピレングリコール、ジエチレングリコール、ポリエチレングリコール、チオジグリコール、ジチオジグリコール、２−メチル−１，３−プロパンジオール、１，２，６−ヘキサントリオール、アセチレングリコール誘導体、グリセリン、トリメチロールプロパン等に代表される多価アルコール類、２−ピロリドン、Ｎ−メチル−２−ピロリドン、１，３−ジメチル−２−イミダゾリジノン、Ｎ−エチルモルホリン等の複素環類、スルホラン、ジメチルスルホキシド、３−スルホレン等の含硫黄化合物、ジアセトンアルコール、ジエタノールアミン等の多官能化合物、尿素誘導体等が挙げられる。中でも、グリセリン、ジエチレングリコール等の多価アルコールが好ましい。
また、浸透促進のためには、インク組成物を記録媒体により良く浸透させる目的で有機溶媒を用いてもよい。浸透促進に好適な有機溶媒の具体例として、エタノール、イソプロパノール、ブタノール、１，２−ヘキサンジオール等のアルコール類やラウリル硫酸ナトリウム、オレイン酸ナトリウムやノニオン性界面活性剤等が挙げられる。
また、親水性有機溶媒は、上記以外にも粘度の調整に用いることができる。粘度の調整に用いることができる親水性有機溶媒の具体的な例としては、アルコール（例えば、メタノール、エタノール、プロパノールなど）、アミン（例えば、エタノールアミン、ジエタノールアミン、トリエタノールアミン、エチレンジアミン、ジエチレントリアミンなど）及びその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、アセトニトリル、アセトンなど）が挙げられる。
前記有機溶媒は、インク全量の０〜８０質量％とすることが好ましく、０〜６０質量％がより好ましく、０〜５０質量％がさらに好ましい。
【００５１】
（水）
本発明のインクは、水を含有するものであるが、水の量には特に制限はない。中でも、水の好ましい含有量は、１０〜９９質量％であり、より好ましくは３０〜８０質量％であり、さらに好ましくは５０〜７０質量％である。
【００５２】
［その他の添加剤］
インク組成物は、上記の成分に加え、必要に応じて、その他の添加剤を含むことができる。その他の添加剤としては、例えば、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤が挙げられる。これらの各種添加剤は、インク組成物を調製後に直接添加してもよく、インク組成物の調製時に添加してもよい。
【００５３】
（紫外線吸収剤）
紫外線吸収剤は、画像の保存性を向上させることができる。紫外線吸収剤としては、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号明細書等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【００５４】
（褪色防止剤）
褪色防止剤は、画像の保存性を向上させることができる。褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。より具体的にはリサーチディスクロージャーＮｏ．１７６４３の第VIIのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や特開昭６２−２１５２７２号公報の１２７頁〜１３７頁に記載された代表的化合物の一般式及び化合物例に含まれる化合物を用いることができる。
【００５５】
（防黴剤）
防黴剤としては、デヒドロ酢酸ナトリウム、安息香酸ナトリウム、ナトリウムピリジンチオン−１−オキサイド、ｐ−ヒドロキシ安息香酸エチルエステル、１，２−ベンズイソチアゾリン−３−オン及びその塩等が挙げられる。これらはインク組成物中に０．０２〜１．００質量％使用するのが好ましい。
【００５６】
（ｐＨ調整剤）
ｐＨ調整剤としては、中和剤（有機塩基、無機アルカリ）を用いることができる。ｐＨ調整剤は、インク組成物の保存安定性を向上させる観点から、インク組成物がｐＨ６〜１０となるように添加するのが好ましく、ｐＨ７〜１０となるように添加するのがより好ましい。
【００５７】
（表面張力調整剤）
表面張力調整剤としては、ノニオン系界面活性剤、カチオン系界面活性剤、アニオン系界面活性剤、ベタイン系界面活性剤等が挙げられる。
また、表面張力調整剤の添加量は、インクジェット法による吐出を良好に行なうため、インク組成物の表面張力を２０〜６０ｍＮ／ｍに調整する添加量が好ましく、２０〜４５ｍＮ／ｍに調整する添加量がより好ましく、２５〜４０ｍＮ／ｍに調整する添加量がさらに好ましい。一方、インクの付与をインクジェット法以外の方法で行なう場合には、２０〜６０ｍＮ／ｍの範囲が好ましく、３０〜５０ｍＮ／ｍの範囲がより好ましい。
【００５８】
インク組成物の表面張力は、Ａｕｔｏｍａｔｉｃ  Ｓｕｒｆａｃｅ  Ｔｅｎｓｉｏｍｅｔｅｒ  ＣＢＶＰ-Ｚ（商品名、協和界面科学株式会社製）を用い、プレート法により２５℃の条件下で測定されるものである。
【００５９】
（界面活性剤）
界面活性剤の具体例としては、炭化水素系では脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキサイド界面活性剤であるＳＵＲＦＹＮＯＬＳ（ＡｉｒＰｒｏｄｕｃｔｓ＆ＣｈｅｍｉｃａＬｓ社）も好ましく用いられる。また、Ｎ，Ｎ−ジメチル−Ｎ−アルキルアミンオキサイドのようなアミンオキサイド型の両性界面活性剤等も好ましい。本発明では、分子量１００〜２０００のノニオン系界面活性剤である。
更に、特開昭５９−１５７６３６号公報の第（３７）〜（３８）頁、リサーチディスクロージャーＮｏ．３０８１１９（１９８９年）記載の界面活性剤として挙げたものも用いることができる。
また、特開２００３−３２２９２６号、特開２００４−３２５７０７号、特開２００４−３０９８０６号の各公報に記載されているようなフッ素（フッ化アルキル系）系界面活性剤、シリコーン系界面活性剤等を用いることにより、耐擦性を良化することもできる。
また、表面張力調整剤は消泡剤としても使用することができ、フッ素系化合物、シリコーン系化合物、及びＥＤＴＡに代表されるキレート剤等も使用することができる。
【００６０】
本発明のインクには、さらに、増粘剤、導電性向上剤、コゲーション防止剤、乾燥剤、耐水堅牢化剤、光安定剤、緩衝剤、カール防止剤などを添加してもよい。緩衝剤の例には、硼酸ナトリウム、燐酸水素ナトリウム、燐酸二水素ナトリウム、それらの混合物などがあげられるが、これらに限定されるものではない。
【００６１】
次に本発明のインクジェット記録方法、インクジェット記録装置、印刷物について説明する。
［インクジェット記録方法］
インクジェット記録方式は、インクジェットプリンターのプリントヘッドに含有されている複数のノズルまたはオリフィスからインク液滴を吐出することによって、液体インク液滴を制御して記録シートに着弾させて画像形成を行うものである。インクに力学的エネルギーを作用させて液滴を吐出する方法と、インクに熱エネルギーを与えてインクの発泡により液滴を吐出する方法があるが、本発明方法ではいずれでもよい。
印刷速度は特に制限はないが、本発明方法によれば高速印刷でも良好な画質を得ることができ、５０ｍ／ｍiｎ〜２００ｍ／ｍiｎが好ましい。液滴あたりの液量は特に制限はないが、２〜１５ｐｌが好ましい。
本発明のインクジェット記録方法には、上記本発明のインクを用いる。カラープリントの場合、インクセットに用いる少なくとも１種が本発明のインクであればよい。これに加えて、インクが記録シートに着弾する前、または着弾時に、記録シートを６５℃以上、好ましくは６５〜１００℃、より好ましくは６５〜９０℃、さらに好ましくは６５〜８０℃に加熱することを特徴とする。この温度は赤外線放射温度計（例えば、MK  Scientific社製、商品名：IR-66Bなど）等の非接触型温度計で記録シートの記録面側（インク液滴が着弾する側）を測定した値とする。測定する位置は、インクジェット記録装置のヘッド部と記録シートを加熱する手段との間とする。加熱温度が６５℃を下回ると十分にインクが増粘しないことがある。また、上記温度よりも高温に加熱するには必要以上の熱源が必要になり、システムとして負荷がかかる。また、加熱は、インク着弾前と着弾時の両方で行っても良い。本発明方法においては、記録シートの加熱により、記録シート上でのインクの増粘が促され、滲みを抑制することなどができる。
なお、記録シートとしては特に制限はないが、上質紙、コート紙、アート紙、などのセルロースを主体とする一般印刷用紙を用いることができる。セルロースを主体とする一般印刷用紙は、水性インクを用いた一般のインジェット法による画像記録においては比較的インクの吸収、乾燥が遅く、打滴後に色材移動が起こりやすく、画像品質が低下しやすいが、本発明によると、色材移動を抑制して色濃度、裏移りなど、優れた画像の記録が可能である。
記録シートとしては、一般に市販されているものを使用することができ、例えば、王子製紙（株）製の「ＯＫプリンス上質」、日本製紙（株）製の「しおらい」、及び日本製紙（株）製の「ニューＮＰＩ上質」等の上質紙（Ａ）、王子製紙（株）製の「ＯＫエバーライトコート」及び日本製紙（株）製の「オーロラＳ」等の微塗工紙、王子製紙（株）製の「ＯＫコートＬ」及び日本製紙（株）製の「オーロラＬ」等の軽量コート紙（Ａ３）、王子製紙（株）製の「ＯＫトップコート＋」及び日本製紙（株）製の「オーロラコート」等のコート紙（Ａ２、Ｂ２）、王子製紙（株）製の「ＯＫ金藤＋」及び三菱製紙（株）製の「特菱アート」等のアート紙（Ａ１）等が挙げられる（いずれも商品名）。
【００６２】
［インクジェット記録装置］
本発明のインクジェット記録装置は、インクを収容したインク収容部と、該インクを液滴として吐出させるためのヘッド部を有する記録ユニットを備えたインクジェット記録装置であって、インクとして上記本発明のインクジェット顔料インクを用いるものであり、記録シートにインク液滴が着弾する前、または着弾時に、該記録シートが６５℃以上、好ましくは６５〜１００℃、より好ましくは６５〜９０℃、さらに好ましくは６５〜８０℃となるように加熱保持する手段（以下、加熱手段という）を有することを特徴とする。この装置によれば、上記本発明のインクジェット記録方法が実施できる。
加熱手段としての熱源としては、記録シートが必要な温度に加熱され、インクが十分に増粘されれば限定されないが、具体的な例として、熱版、加熱ドラム、光照射、熱空気源、電気ヒーター、赤外線ランプ、赤外線レーザーが挙げられ、必要に応じ、これらの手段を併用してもよい。また、加熱手段は、記録シートの上に配置しても下に配置してもよい。なお、ヘッド部との位置関係は、記録シートにインクが着弾する前または同時に記録シートが必要な温度に加熱されているようにされていればよい。
記録ユニットは、通常のインクジェットプリンタに使用されているものであれば特に制限はない。例えば特開平８−３３３５３６号公報の段落００６１〜００６２に記載されているような構成があげられる。
なお、本発明のインクジェット記録装置においては、加熱された記録シートが冷えてしまわないうちに、インク液滴が記録シートに着弾できるように、ヘッドと加熱ユニットが近くに配された構造が好ましい。しかし、近すぎると、加熱ユニットからの熱がヘッドに伝わり、ヘッド中でインクが増粘し、吐出不良に陥る場合があるため、ヘッド中のインクの吐出性が失われない程度に距離をとった構造にするか、加熱ユニットからの熱を遮断する目的で、断熱材でヘッドを保護するなどの構造にすることが好ましい。
【００６３】
［印刷物］
本発明の印字物は、本発明のインクジェット記録方法により、記録シートに上記本発明のインクを用いて文字や画像を印刷したものであれば特に制限はない。
【実施例】
【００６４】
以下、本発明を実施例に基づきさらに詳しく説明するが、本発明はこれにより限定して解釈されるものではない。
実施例Ｉ
＜実施例１＞
（ブラックインク１０１の調製）
下記の化合物を秤量攪拌混合して調製した。
・黒顔料分散液（カーボンブラック、１５質量％水分散）：２６．６７ｇ
・ニューポールＰＥ−７８（商品名、三洋化成社製）
ＰＥＯ−ＰＰＯ−ＰＥＯトリブロックポリマー
（Ｍｎ：８７００  ＰＥＯを８０質量％含有）      ：  ５．０ｇ
・尿素（和光純薬社製）                              ：１７．２ｇ
・界面活性剤（オルフィンＥ１０１０（商品名、日信化学工業製））
：  １．０ｇ
・イオン交換水                                      ：６８．３３ｇ
【００６５】
＜実施例２＞
尿素の添加量を８．６ｇに変更したこと以外は実施例１と同様にしてブラックインク１０２を調製した。
＜実施例３＞
尿素を２−ピロリドンに変更したこと以外は実施例１と同様にしてブラックインク１０３を調製した。
＜実施例４＞
尿素をチオ尿素に変更したこと以外は実施例１と同様にしてブラックインク１０４を調製した。
【００６６】
比較例Ｉ
＜比較例１＞
尿素を添加しなかったこと以外は実施例１と同様にしてブラックインクｃ１１を調製した。
【００６７】
（粘度評価）
ブラックインク１０１とｃ１１について、表１に示す２５℃〜９０℃の各温度でのインク粘度（ｍＰａ・ｓ）を測定した。
粘度の値は温度可変型の回転式粘度計（Physica  MCR301（商品名、アントンパール社製））で表１に記載された温度にした後１００秒ごとに５回測定した値の平均とした。測定条件は、ずり速度１０（１／ｓ）、上昇温度は５℃／５秒とした。
結果を表１に示す。
【００６８】
【表１】
0005616083.tif 000016
【００６９】
ブラックインク１０１は、低分子化合物（尿素）の添加により、ｃ１１より増粘する温度が低くなっていることがわかる。
【００７０】
実施例II、比較例II
表２に示すブラックインクを圧電ヘッド（３８４ノズル）から、シングルパスモードで６００ｄｐｉの解像度で、液滴あたり滴量７〜８ｐｌで吐出させ、それぞれ１ｃｍ  ×  １ｃｍの網点１００％、８０％、６０％、４０％、２０％の５段画像を、順番にＮＰｉ上質紙（日本製紙社製）に印画した。加熱は、熱風でインク着弾前にＮＰｉ上質紙が表２に示した温度となるよう行った。ＮＰｉ上質紙の温度は熱源と圧電ヘッドの中間で、赤外線放射温度計（MK  Scientific社製、商品名：IR-66B）を用い、記録面側（インク液滴が着弾する側）で測定した値である。
【００７１】
印刷物に対して以下の評価を行った。
（滲み評価）
印画した２０％の画像を顕微鏡（２０倍）で観察し、以下の基準で評価して記録シートの加熱有無で比較した。結果を表２に示す。
◎；ほとんどのドットの滲みが抑制されている。
○；半分程度のドットの滲みが抑制されている。
△；一部のドットの滲みが抑制されている。
×；ほとんどのドットが滲んでいる。
（裏移り）
印画した画像の裏部分を目視で観察し、以下の基準で評価した。結果を表２に示す。裏移りが少ないほうが、印画した面の色濃度も高く、好ましい。
◎；加熱により裏移りが明らかに少なくなっている。
○；加熱により裏移りがやや少なくなっている。
△；加熱により裏移りが僅かに少なくなっている。
×；加熱しても裏移りがほとんど少なくなっていない。
（吐出遅れ）
印画した画像の印画始めの部分を目視で観察し、吐出遅れ（印画始めが印画されにくい現象）の有無を確認した。吐出遅れがないほうが吐出性が良い。結果を表２に示す。
【００７２】
【表２】
0005616083.tif 000017
【００７３】
表２より、比較例のインクｃ１１を用いた比較例II-1、II-2では滲み、裏移りの発生があり、吐出遅れも発生している。記録シートを６５℃に加熱しても、改善はみられない（比較例II-2）。
これに対し、本発明のインクとこれを用いたインクジェット記録方法による実施例II-1〜II-6では、印刷物の滲みが抑制され、裏移りが少なくなり、印刷面の濃度が高くなり、さらに、インクの吐出性が良好で吐出遅れを発生することなく、印刷できていることがわかる。また、記録シートの加熱温度を６５℃、７０℃、８０℃に低く抑えても優れた評価結果が得られており、インクジェット記録装置の負荷を少なくして良好な画像が印刷できるという優れた効果を奏している。
また、実施例II-1〜II-6の印刷物のドット形状は断面で台形であり、濃度が均一で画像品質が良好であった。